(57)【要約】【課題】本発明は、金網や桟等が設けられ固定補助具の取り付けが困難な場所に容易に取り付けることができる固定補助具、および、前記固定補助具を用いた開口閉塞具を提供することを課題とする。【解決手段】本発明の固定補助具１４は、板状の表側挟持部１６と、表側挟持部１６との間で棒状の固定対象を挟持可能な板状の裏側挟持部１８と、表側挟持部１６と裏側挟持部１８とを連結する連結部２０と、表側挟持部１６と裏側挟持部１８との間で棒状の固定対象が嵌入される嵌入溝２２と、表側挟持部１６または裏側挟持部１８の少なくともいずれか一方の所定位置に被固定物を固定するために設けられた固定側孔２４と、を備え、嵌入溝２２に嵌入された棒状の固定対象を軸心として姿勢を変更させ、開口領域内であって固定対象の一部を含む領域に被固定物を固定するための固定面を形成することを特徴とした。【選択図】図１
2009236468.tif 000002
【特許請求の範囲】
【請求項１】
開口領域を一方の側から他方の側に渡るように配置された棒状の固定対象に装着されて、固定対象への被固定物の固定を可能にする固定補助具であって、
板状の表側挟持部と、
前記表側挟持部との間で棒状の固定対象を挟持可能な板状の裏側挟持部と、
前記表側挟持部と前記裏側挟持部とを連結する連結部と、
前記表側挟持部と前記裏側挟持部との間で棒状の固定対象が嵌入される嵌入溝と、
前記表側挟持部または前記裏側挟持部の少なくともいずれか一方の所定位置に被固定物を固定するために設けられた固定側孔と、を備え、
前記嵌入溝に嵌入された棒状の固定対象を軸心として姿勢を変更させ、開口領域内であって固定対象の一部を含む領域に被固定物を固定するための固定面を形成することを特徴とする固定補助具。
【請求項２】
前記表側挟持部は、前記裏側挟持部の一部が露出するように重ねて配置され、
前記固定側孔は、前記裏側挟持部の露出部分に設けられることを特徴とする請求項１に記載の固定補助具。
【請求項３】
前記表側挟持部、前記連結部、及び前記裏側挟持部は、一枚の金属板を屈曲させて形成され、
固定対象の軸方向と同一方向の幅において、前記表側挟持部側が前記裏側挟持部側よりも小さいことを特徴とする請求項１又は２に記載の固定補助具。
【請求項４】
請求項１〜３のいずれかに記載の固定補助具と、
前記固定側孔に対応する閉塞側孔が所定位置に設けられた板状の閉塞部材と、を備え、
固定対象に取り付けられた前記固定補助具と前記閉塞部材とを固定手段で固定することにより、前記開口領域の一部を閉塞することを特徴とする開口閉塞具。
【請求項５】
前記閉塞部材の一方の面には、前記開口領域の周縁に当接するシール部材が設けられることを特徴とする請求項４に記載の開口閉塞具。
【請求項６】
前記閉塞側孔は、閉塞側孔を通る仮想線によって閉塞部材が二つの領域に区分された際、一方の領域に含まれるシール部材に作用するモーメントの大きさと、他方の領域に含まれるシール部材に作用するモーメントの大きさとの差が所定の範囲内になる位置に設けられることを特徴とする請求項４又は５に記載の開口閉塞具。
【請求項７】
閉塞部材を固定補助具に対して配置する際に固定補助具の固定側孔と閉塞部材の閉塞側孔とを位置合わせするための位置決め手段を備えることを特徴とする請求項４〜６のいずれかに記載の開口閉塞具。
【発明の詳細な説明】
【技術分野】
【０００１】
本発明は、固定対象への取り付けが容易な固定補助具、及び、前記固定補助具を用いた開口閉塞具に関するものである。
【背景技術】
【０００２】
従来、給湯装置の排気口には、燃焼排気の吹出方向を変更する排気カバーが必要に応じて取り付けられていた。特許文献１に示すように従来の排気カバーは、板ばね状の接続金具を有しており、この接続金具を、排気口に設けられたルーバーや排気口の内壁に押圧させることで排気口に着脱されていた。
【特許文献１】実開平２−１１４８６８号公報
【発明の開示】
【発明が解決しようとする課題】
【０００３】
ここで図５に示すように補助熱源機（給湯装置）を内蔵したコージェネレーションシステムの貯湯ユニット１００が、建物の外壁面１０２に近接して設置されることがある。この場合、補助熱源機の排気口７０は、外壁面１０２から所定の距離だけ離される必要がある。そのため排気口７０の吹き出し方向が外壁面１０２に沿った方向になるように貯湯ユニット１００が設置された場合には、開口閉塞具によって、排気口７０における、建物の外壁面１０２側の端部を閉塞し、外壁面１０２から排気口７０までの距離を延長することが検討されている。
【０００４】
開口閉塞具は、落下等を防止するため、貯湯ユニット１００に対して強固に取り付けられる必要がある。そのため開口閉塞具は、上記排気カバーのように板ばね状の接続金具を利用するのではなく、ビス等によって固定されることが望ましい。ビス等で開口閉塞具を貯湯ユニット１００に固定するには、ビス孔を貯湯ユニット１００に設けるか、ビス孔を設けた固定補助具を貯湯ユニット１００に取り付ける必要がある。しかし補助熱源機の排気口７０には、開口領域に沿って横桟や金網が設けられており、十分なスペースがないため、固定補助具を取り付けるのが困難であった。また開口閉塞具は、排気口７０の一部を閉塞する必要がある場合にだけ取り付けられるものであり、それだけのためにビス孔や固定補助具を設けておくことは、コスト面、さらには意匠面からも好ましいことではない。
【０００５】
そこで本発明は、金網や桟等が設けられ被固定物の固定が困難な固定対象であっても、被固定物を容易に固定することができる固定補助具、および、前記固定補助具を用いた開口閉塞具を提供することを課題とする。
【課題を解決するための手段】
【０００６】
上記課題を解決するため、請求項１の発明は、開口領域を一方の側から他方の側に渡るように配置された棒状の固定対象に装着されて、固定対象への被固定物の固定を可能にする固定補助具であって、板状の表側挟持部と、前記表側挟持部との間で棒状の固定対象を挟持可能な板状の裏側挟持部と、前記表側挟持部と前記裏側挟持部とを連結する連結部と、前記表側挟持部と前記裏側挟持部との間で棒状の固定対象が嵌入される嵌入溝と、前記表側挟持部または前記裏側挟持部の少なくともいずれか一方の所定位置に被固定物を固定するために設けられた固定側孔と、を備え、前記嵌入溝に嵌入された棒状の固定対象を軸心として姿勢を変更させ、開口領域内であって固定対象の一部を含む領域に被固定物を固定するための固定面を形成することを特徴とする固定補助具である。
【０００７】
本請求項の発明は、表側挟持部と裏側挟持部との間に棒状の固定対象を差し込み、嵌入溝に棒状の固定対象を嵌入させることで、容易に固定対象に取り付けることができる。また本請求項の発明は、嵌入溝に嵌入された固定対象を軸心として回転し、姿勢の変更が可能である。そのため本請求項の発明は、固定対象への取り付け後、回転により姿勢を変更させ、開口領域内であって固定対象の一部を含む領域に、被固定物を固定するのに最適な固定面を形成することができる。したがって本請求項の発明は、桟などによって作業スペースが狭められ固定補助具の取り付けが困難な開口領域に対しても、被固定物を固定するための固定面を容易に形成し、被固定物を固定対象に対して強固に固定することができる。
【０００８】
請求項２の発明は、請求項１の発明において、前記表側挟持部は、前記裏側挟持部の一部が露出するように重ねて配置され、前記固定側孔は、前記裏側挟持部の露出部分に設けられることを特徴とした。
【０００９】
本請求項の発明は、被固定物が固定されると、裏側挟持部と被固定物との間に配置された表側挟持部が、被固定物によって裏側挟持部側に押される。これにより本請求項の発明は、表側挟持部と裏側挟持部とが離反するのを防止することができ、固定対象が嵌入溝から外れるのを防止することができる。
【００１０】
また本請求項の発明は、固定側孔が裏面挟持部にのみ設けられているので、固定側孔が表側挟持部と裏側挟持部の両方が重なる部分に設けられた場合よりも、固定側孔の長さが短くて済み、被固定物の固定を楽に行うことができる。例えば、固定補助具と被固定物との固定にビスやねじを用いた場合、ビス孔の長さを短くできるので、ビスの締め付けが固くなりにくく、被固定物の固定を楽に行うことができる。
【００１１】
ここで固定補助具を固定対象に装着させる際には、表側挟持部と裏側挟持部との間に棒状の固定対象を軽い力で差し込めるように、固定補助具の剛性は低い方が望ましい。一方、固定補助具を固定対象に装着させた後は、被固定対象を強固に保持する強度が要求されるため、固定補助具の剛性は高い方が望ましい。
【００１２】
かかる知見に基づき提供される請求項３の発明は、請求項１又は２の発明において、前記表側挟持部、前記連結部、及び前記裏側挟持部は、一枚の金属板を屈曲させて形成され、固定対象の軸方向と同一方向の幅において、前記表側挟持部側が前記裏側挟持部側よりも小さいことを特徴とした。
【００１３】
これにより本請求項の発明は、表側挟持部の剛性を裏側挟持部の剛性よりも低くすることができる。その結果、本請求項の固定補助具は、固定対象に装着する際に、剛性の低い表側挟持部を主として変形させて、軽い力で固定対象を固定補助具の嵌入溝に嵌入させることができる。また固定補助具を固定対象に装着した後は、剛性の高い裏側挟持部によって被固定対象を強固に保持することができる。
【００１４】
請求項４の発明は、請求項１〜３のいずれかに記載の固定補助具と、前記固定側孔に対応する閉塞側孔が所定位置に設けられた板状の閉塞部材と、を備え、固定対象に取り付けられた前記固定補助具と前記閉塞部材とを固定手段で固定することにより、前記開口領域の一部を閉塞することを特徴とする開口閉塞具である。
【００１５】
本請求項の発明は、固定補助具の取り付けが困難な開口領域に対して、固定補助具で閉塞部材を固定するための固定面を形成し、固定補助具に閉塞部材を固定させることで、開口領域の一部を容易に閉塞することができる。
【００１６】
また請求項５の発明は、請求項４の発明において、前記閉塞部材の一方の面には、前記開口領域の周縁に当接するシール部材が設けられることを特徴とした。
【００１７】
本請求項の発明は、シール部材によって開口領域の周縁と閉塞部材との継目部分の気密性を確保することができる。
【００１８】
請求項６の発明は、請求項４又は５の発明において、前記閉塞側孔は、閉塞側孔を通る仮想線によって閉塞部材が二つの領域に区分された際、一方の領域に含まれるシール部材に作用するモーメントの大きさと、他方の領域に含まれるシール部材に作用するモーメントの大きさとの差が所定の範囲内になる位置に設けられることを特徴とした。
【００１９】
このため本請求項の発明は、閉塞部材を固定する際に、シール部材に対して均等に力を作用させることができ、片締めが生じるのを効果的に防止することができる。
【００２０】
請求項７の発明は、請求項４〜６のいずれかに記載の発明において、閉塞部材を固定補助具に対して配置する際に固定補助具の固定側孔と閉塞部材の閉塞側孔とを位置合わせするための位置決め手段を備えることを特徴とした。
【００２１】
これにより本請求項の発明は、閉塞部材を固定補助具に固定する際、固定補助具の固定側孔と閉塞部材の閉塞側孔との位置合わせを容易に行うことができる。
【発明の効果】
【００２２】
本発明は、金網や桟等が設けられ被固定物の固定が困難な固定対象であっても、被固定物を容易に固定することができる固定補助具を提供する。
【発明を実施するための最良の形態】
【００２３】
続いて本発明を実施した開口閉塞具１０について、図面を参照しながら詳細に説明する。図１は、本発明を実施した開口閉塞具１０の分解斜視図である。図２の（ａ）は、本実施形態の開口閉塞具１０が取り付けられるコージェネレーションシステムの補助熱源機の排気口７０を示す正面図であり、図２の（ｂ）は、開口閉塞具１０が取り付けられたコージェネレーションシステムの補助熱源機の排気口７０を示す正面図である。図３は、排気口７０の横桟８２への開口閉塞具１０の取り付けを説明する側面図であり、図３の（ａ）が、固定補助具１４の差込口２６を横桟８２に向けた状態、図３の（ｂ）が、横桟８２が固定補助具１４の嵌入溝２２に嵌入された状態、図３の（ｃ）が、固定補助具１４を回転させた状態、図３の（ｄ）が固定補助具１４に閉塞部材１２をビスで固定した状態を示す。図４は、閉塞部材の閉塞板を二つの領域に区分する仮想線の一例を示す説明図である。
なお以下の説明では、開口閉塞具１０を取り付ける使用者と対向する面を表面とし、対向する方向を前方とする。また上下左右の位置関係については、特に断りのない限り図１に示す姿勢を基準とする。
【００２４】
図２（ｂ）に示すように、本実施形態の開口閉塞具１０は、燃焼装置に設けられた排気口の一部を閉塞するための器具である。本実施形態の開口閉塞具１０は、コージェネレーションシステムを構成する補助熱源機の排気口７０を閉塞する。図５に示すように、補助熱源機を内蔵したコージェネレーションシステムの貯湯ユニット１００は、建物の外壁面１０２に近接して設置されることがある。この場合、補助熱源機の排気口７０は、外壁面１０２から所定の距離だけ離される必要がある。本実施形態の開口閉塞具１０は、排気口７０の吹き出し方向が外壁面１０２に沿った方向になるように貯湯ユニット１００が設置された場合に、排気口７０における、建物の外壁側１０２の端部を閉塞することによって、外壁面１０２から排気口７０までの距離を延長するための器具である。
【００２５】
補助熱源機は、ガスバーナ（燃焼装置）と、湯水が循環可能な循環回路に接続される熱交換器とを備えた従来公知の給湯装置と同様の構造を有するものであり、ガスバーナの燃焼ガスにより循環回路内の湯水を加熱することができる。
【００２６】
図２（ａ）に示す排気口７０は、使用済みの燃焼ガスを補助熱源機の外部に排出するための開口であり、補助熱源機の側面に設けられている。本実施形態の排気口７０は、両端が半円状に形成された横長の開口であり、ステンレス板によって周縁部７２が形成されている。排気口７０の周縁部７２は、開口の上下を形成する直線状の上縁部７４および下縁部７６と、上縁部７４および下縁部７６のそれぞれの左右端部を結ぶ半円状の左側縁部７８および右側縁部８０とを備えている。上縁部７４と下縁部７６とは略平行に配置されており、上縁部７４と下縁部７６との間には、棒状の横桟８２が上縁部７４および下縁部７６と略平行に配置されている。
【００２７】
横桟８２は、排気口７０を横断するように配置され、排気口７０を上下二つの領域に区分する。本実施形態において、上縁部７４から横桟８２までの間隔は、下縁部７６から横桟８２までの間隔と略同一であり、かろうじて指を一本差し込むことができる程度の間隔である。
【００２８】
図１に示すように本実施形態の開口閉塞具１０は、閉塞部材１２と、固定補助具１４とを備えており、排気口７０の横桟８２（固定対象）に固定補助具１４を装着させ、固定補助具１４に閉塞部材１２を固定することにより排気口７０の一部を閉塞する部材である。
【００２９】
閉塞部材１２は、閉塞板３０と、シール部材３２とを備えている。閉塞板３０は、排気口７０の一部を閉塞する金属板であり、半円状の半円部３４と、半円部３４の両端を結ぶ直線状の位置決め当接部３６と、を備え「Ｄ」字状に形成されている。閉塞板３０の半円部３４は、排気口７０の左側縁部７８または右側縁部８０に配置され、位置決め当接部３６は、後述の固定補助具１４の位置決め部２８に当接される。また閉塞板３０の所定位置には、閉塞部材１２を固定補助具１４に固定するための閉塞側孔３８が設けられている。本実施形態の閉塞側孔３８は、いわゆる雌ねじである。
【００３０】
シール部材３２は、閉塞板３０の一方の面に貼付され、閉塞部材１２が後述の固定補助具１４に固定される際、排気口７０の周縁部７２と閉塞板３０との間に挟まれる部材であり、排気口７０の周縁部７２と閉塞板３０との継目部分の気密性を確保することができる。シール部材３２は、ゴムや樹脂等により形成される。
【００３１】
固定補助具１４は、金属板を屈曲させて、一対の表側挟持部１６と裏側挟持部１８とが互いに対向するように連結されており、クリップ状に形成されている。固定補助具１４は、一方の端部が表側挟持部１６と裏側挟持部１８とを連結する連結部２０であり、他方の端部が固定対象である排気口７０の横桟８２を表側挟持部１６と裏側挟持部１８との間に差し込むための差込口２６である。固定補助具１４は、板状の表側挟持部１６と裏側挟持部１８との間で排気口７０の横桟８２を弾性的に挟持することができる。また固定補助具１４は、上下方向の大きさが排気口７０の上縁部７４と下縁部７６との間に収まる大きさである。
【００３２】
表側挟持部１６は、固定補助具１４に被固定物を固定させる際に、被固定物側に配置される部分であり、位置決め部２８を備えている。位置決め部２８は、表側挟持部１６の一部を裏側挟持部１８から離反する方向に折り曲げて形成される。表側挟持部１６の面積は、裏側挟持部１８の面積よりも小さく、固定補助具１４を表面挟持部１６側から見ると、裏側挟持部１８の一部が表側挟持部１６から露出している。また装着される横桟８２の軸方向と同一方向の幅において、表側挟持部１６は、裏側挟持部１８よりも小さくなるように形成されている。
【００３３】
裏側挟持部１８は、排気口７０の横桟８２が嵌入される嵌入溝２２と、閉塞側孔３８に対応する固定側孔２４と、を備える。嵌入溝２２は、裏側挟持部１８の略中央に配置されている。固定側孔２４は、表側挟持部１６によって覆われていない露出部分であって、嵌入溝２２の近傍の差込口２６側に設けられている。
【００３４】
次に図３を参照しながら、開口閉塞具１０の取り付けについて説明する。開口閉塞具１０は、図３（ａ）〜（ｃ）の手順に従って固定補助具１４を補助熱源機の排気口７０の横桟８２に装着し、図３（ｄ）に示すように、排気口７０の横桟８２に装着された固定補助具１４に閉塞部材１２を固定させることで、排気口７０の一部を閉塞部材１２によって閉塞することができる。
【００３５】
図３（ａ），（ｂ）に示すように、固定補助具１４は、差込口２６から排気口７０の横桟８２を差し込み、横桟８２を裏側挟持部１８の嵌入溝２２に嵌入させることで、排気口７０の横桟８２に対して装着することができる。横桟８２に装着された固定補助具１４は、横桟８２を軸心として回転移動が可能である。使用者は、図３（ｃ）に示すように、固定補助具１４の表側挟持部１６及び裏側挟持部１８が排気口７０の周縁部７２によって形成される面と略平行な姿勢になるように固定補助具１４の姿勢を調整し、閉塞部材１２を固定するための固定面を形成する。
【００３６】
固定補助具１４の姿勢を調整した後、使用者は、図３（ｄ）に示すように閉塞部材１２を固定補助具１４の所定位置に配置する。閉塞部材１２は、閉塞板３０の位置決め当接部３６を固定補助具１４の位置決め部２８に当接させることによって、固定補助具１４の固定側孔２４と閉塞部材１２の閉塞側孔３８とを容易に位置決めすることができる。また図２（ｂ）に示すように、閉塞板３０の半円部３４は、排気口７０の右側縁部８０に配置される。このとき閉塞板３０と排気口７０の周縁部７２との間にはシール部材３２が配置されている。
【００３７】
閉塞部材１２を固定補助具１４の所定の位置に配置した後、使用者は、閉塞側孔３８および固定側孔２４にビス５０を通して、閉塞部材１２と固定補助具１４とを固定する。これにより閉塞部材１２は、固定補助具１４を介して、排気口７０の横桟８２に取り付けられ、排気口７０の一部を閉塞することができる。
【００３８】
上記のように本実施形態の固定補助具１４は、排気口７０の横桟８２を挟み込み、横桟８２を軸心として回転移動させることで、排気口７０内の横桟８２を含む領域に閉塞部材１２を固定するための固定面を容易に形成することができる。そのため上記実施形態の固定補助具１４は、横桟によって作業スペースが狭められて固定補助具１４の取り付けが困難な排気口７０に対しても、閉塞部材１２を容易に取り付けることができる。
【００３９】
また本実施形態の固定補助具１４は、固定側孔２４が嵌入溝２２よりも差込口２６側に配置されている。そのため、取り付けられたビス５０によって、横桟８２が差込口２６側へ移動するのを防止することができる。また本実施形態の開口閉塞具１２は、ビス５０で固定補助具１４の裏側挟持部１８と閉塞部材１２の閉塞板３０とを締め付けることにより、固定補助具１４の表側挟持部１６と裏側挟持部１８とを密着させ、横桟８２が嵌入溝２２から外れるのを防止することができる。
【００４０】
また本実施形態の固定補助具１４は、裏側挟持部１８にのみ固定側孔２４が設けられているので、固定側孔２４が表側挟持部１６と裏側挟持部１８の両方が重なる部分に設けられた場合に比べ、固定側孔２４の長さが短くて済み、ビス５０の締め付けが固くなりにくい。そのためビス５０による閉塞部材１２の固定を楽に行うことができる。
【００４１】
また本実施形態の固定補助具１４は、装着される横桟８２の軸方向と同一方向の幅において、表側挟持部１６が裏側挟持部１８よりも小さくなるように形成されている。そのため本実施形態の固定補助具１４は、表側挟持部１６の剛性が裏側挟持部１８の剛性よりも低い。これにより本実施形態の固定補助具１４は、排気口７０の横桟８２に装着する際に、剛性の低い表側挟持部１６を主として変形させて、軽い力で横桟８２を嵌入溝２２に嵌入させることができる。また固定補助具１４を横桟８２に装着させた後は、剛性の高い裏側挟持部１８に対して閉塞部材１２を強固に固定することができる。
【００４２】
また本実施形態の開口閉塞具１０は、固定補助具１４と閉塞部材１２との固定にビス５０等が利用されるため、ばね等を用いる場合に比べて、閉塞部材１２を補助熱源機に対してより強固に固定させることができる。
【００４３】
また閉塞板３０の閉塞側孔３８は、図４に示すように閉塞側孔３８を通る仮想線によって閉塞板が二つの領域に区分された際、一方の領域に含まれるシール部材３２に作用するモーメントの大きさと、他方の領域に含まれるシール部材３２に作用するモーメントの大きさとの差が所定の範囲内になる位置に設けられることが望ましい。このような構成を採用することで、ビス５０による締付力をシール部材３２に均等に作用させ、ビス止めによって片締めが生じるのを効果的に防止することができる。
【００４４】
本実施形態の開口閉塞具１０は、閉塞板３０の位置決め当接部３６を固定補助具１４の位置決め部２８に当接させることにより、閉塞部材１２の閉塞側孔３８と固定補助具１４の固定側孔とを容易に位置合わせすることができる。
【００４５】
また本実施形態の開口閉塞具１０は、コージェネレーションシステムの補助熱源機などの燃焼装置の設置スペースが狭小であり、外壁面１０２から排気口７０までの距離の確保が困難な場合であっても、排気口７０における、建物の外壁面１０２側の端部を閉塞することによって外壁面１０２から排気口７０までの距離を延長させることが可能であり、狭小スペースに対する燃焼装置の設置自由度を高めることができる。
【００４６】
上記実施形態において固定補助具１４は、補助熱源機の排気口７０に設けられた横桟８２に取り付けられたが、固定補助具１４を取り付ける固定対象に限定があるわけではない。固定補助具１４は、軸心となる棒状の固定対象と、固定補助具１４が回転可能な空間とを備えた位置であれば取り付けが可能である。例えば、気体が吹き出される浴室乾燥機の吹出口に配置される網状のグリルや、公園等に設置される金網フェンス等に取り付けることができる。
【００４７】
また上記実施形態において、固定補助具１４に固定される被固定物は、補助熱源機の排気口７０を閉塞する閉塞部材１２であったが、本発明は、被固定物を閉塞部材１２に限定するわけでない。被固定物は、固定補助具１４への取り付けが可能であればいかなる物品でもよい。例えば、浴室乾燥機の吹出口のグリルに取り付けられた固定補助具１４に、ハンガーや物干しを設置するためのフックを取り付けてもよい。また金網フェンスに取り付けられた固定補助具１４に、看板やゴミ箱等を取り付けてもよい。
【００４８】
開口閉塞具は、板ばね状の接続金具を備え、接続金具を排気口７０の内壁や横桟８２に押圧させることによって排気口７０に取り付けられる構成にしてもよい。
【図面の簡単な説明】
【００４９】
【図１】本発明を実施した開口閉塞具を示す斜視図である。
【図２】（ａ）本実施形態の開口閉塞具が取り付けられる補助熱源機の排気口を示す正面図であり、（ｂ）開口閉塞具が取り付けられた補助熱源機の排気口を示す正面図である。
【図３】排気口の横桟への開口閉塞具の取り付けを説明する側面図であり、（ａ）が、固定補助具の差込口を横桟に向けた状態、（ｂ）が、横桟が固定補助具の嵌入溝に嵌入された状態、（ｃ）が、固定補助具を回転させた状態、（ｄ）が、固定補助具に閉塞部材をビスで固定した状態を示す。
【図４】閉塞部材の閉塞板を二つの領域に区分する仮想線の一例を示す説明図である。
【図５】補助熱源機を内蔵したコージェネレーションシステムの貯湯ユニットの設置状態を示す斜視図である。
【符号の説明】
【００５０】
１０  開口閉塞具
１２  閉塞部材（被固定物）
１４  固定補助具
１６  表側挟持部
１８  裏側挟持部
２０  連結部
２２  嵌入溝
２４  固定側孔
２８  位置決め部（位置決め手段）
３２  シール部材
３６  位置決め当接部（位置決め手段）
３８  閉塞側孔
７０  排気口（開口領域）
８２  横桟（固定対象）
【図１】
2009236468.tif 000003
【図２】
2009236468.tif 000004
【図３】
2009236468.tif 000005
【図４】
2009236468.tif 000006
【図５】
2009236468.tif 000007